(57)【特許請求の範囲】
【請求項１】
血圧測定部位に接する側に敷設され血圧測定部位全体を圧迫する阻血用空気袋と、前記阻血用空気袋の血圧測定部位に接する側に敷設されて血圧測定部位の血管の心臓側を圧迫するサブ空気袋と、前記阻血用空気袋の血圧測定部位に接する側に敷設され血圧測定部位の血管の中央部やや下流側の脈波を検出する脈波検出用空気袋と、を含むカフ部と、
前記カフ部の各空気袋を加圧または減圧する圧力制御手段と、
前記カフ部の各空気袋内の圧力を検出する圧力センサと、
前記圧力制御手段により前記カフ部の各空気袋を加圧または減圧する過程において、前記圧力センサにより検出されるカフ内の圧力に重畳した脈波信号の時系列データを抽出する脈波信号抽出手段と、
脈波信号の特徴量の変化と当該変化時点でのカフ内の圧力とに基づき、収縮期血圧値及び／又は拡張期血圧値を導出する血圧値導出手段と、
を備え、
前記血圧値導出手段は、前記脈波信号の時系列データに含まれる複数の１周期脈波信号の各々について、ピーク点と該ピーク点に先行して現れるボトム点との期間での１周期脈波の最大勾配点を検出し、検出された最大勾配点と該最大勾配点に先行して現れるボトム点との間の時間差、又は、検出された最大勾配点と該最大勾配点に先行して現れるボトム点との間の時間差を１脈波周期で除して得られる位相差を導出し、対応するカフ内の圧力が低い１周期脈波信号から順に前記複数の１周期脈波信号の各々に対する前記導出された時間差又は位相差を確認し、連続性のない大きな変化を示した時点に対応するカフ内の圧力を前記収縮期血圧値として導出する
ことを特徴とする血圧測定装置。
【請求項２】
血圧測定部位に接する側に敷設され血圧測定部位全体を圧迫する阻血用空気袋と、前記阻血用空気袋の血圧測定部位に接する側に敷設されて血圧測定部位の血管の心臓側を圧迫するサブ空気袋と、前記阻血用空気袋の血圧測定部位に接する側に敷設され血圧測定部位の血管の中央部やや下流側の脈波を検出する脈波検出用空気袋と、を含むカフ部と、
前記カフ部の各空気袋を加圧または減圧する圧力制御手段と、
前記カフ部の各空気袋内の圧力を検出する圧力センサと、
前記圧力制御手段により前記カフ部の各空気袋を加圧または減圧する過程において、前記圧力センサにより検出されるカフ内の圧力に重畳した脈波信号の時系列データを抽出する脈波信号抽出手段と、
脈波信号の特徴量の変化と当該変化時点でのカフ内の圧力とに基づき、収縮期血圧値及び／又は拡張期血圧値を導出する血圧値導出手段と、
を備え、
前記血圧値導出手段は、前記脈波信号の時系列データに含まれる複数の１周期脈波信号の各々について、ピーク点と該ピーク点に先行して現れるボトム点との期間での１周期脈波の最大勾配点を検出し、検出された最大勾配点と該最大勾配点に先行して現れるボトム点との間の変位を導出し、対応するカフ内の圧力が低い１周期脈波信号から順に前記複数の１周期脈波信号の各々に対する前記導出された変位を確認し、連続性のない大きな変化を示した時点に対応するカフ内の圧力を前記収縮期血圧値として導出する
ことを特徴とする血圧測定装置。
【請求項３】
血圧測定部位に接する側に敷設され血圧測定部位全体を圧迫する阻血用空気袋と、前記阻血用空気袋の血圧測定部位に接する側に敷設されて血圧測定部位の血管の心臓側を圧迫するサブ空気袋と、前記阻血用空気袋の血圧測定部位に接する側に敷設され血圧測定部位の血管の中央部やや下流側の脈波を検出する脈波検出用空気袋と、を含むカフ部と、該カフ部の各空気袋を加圧または減圧する圧力制御手段と、該カフ部の各空気袋内の圧力を検出する圧力センサと、を備える血圧測定装置の制御方法であって、
前記圧力制御手段により前記カフ部の各空気袋を加圧または減圧する過程において、前記圧力センサにより検出されるカフ内の圧力に重畳した脈波信号の時系列データを抽出する脈波信号抽出工程と、
脈波信号の特徴量の変化と当該変化時点でのカフ内の圧力とに基づき、収縮期血圧値及び／又は拡張期血圧値を導出する血圧値導出工程と、
を備え、
前記血圧値導出工程は、前記脈波信号の時系列データに含まれる複数の１周期脈波信号の各々について、ピーク点と該ピーク点に先行して現れるボトム点との期間での１周期脈波の最大勾配点を検出し、検出された最大勾配点と該最大勾配点に先行して現れるボトム点との間の時間差、又は、検出された最大勾配点と該最大勾配点に先行して現れるボトム点との間の時間差を１脈波周期で除して得られる位相差を導出し、対応するカフ内の圧力が低い１周期脈波信号から順に前記複数の１周期脈波信号の各々に対する前記導出された時間差又は位相差を確認し、連続性のない大きな変化を示した時点に対応するカフ内の圧力を前記収縮期血圧値として導出する
ことを特徴とする血圧測定装置の制御方法。
【請求項４】
血圧測定部位に接する側に敷設され血圧測定部位全体を圧迫する阻血用空気袋と、前記阻血用空気袋の血圧測定部位に接する側に敷設されて血圧測定部位の血管の心臓側を圧迫するサブ空気袋と、前記阻血用空気袋の血圧測定部位に接する側に敷設され血圧測定部位の血管の中央部やや下流側の脈波を検出する脈波検出用空気袋と、を含むカフ部と、該カフ部の各空気袋を加圧または減圧する圧力制御手段と、該カフ部の各空気袋内の圧力を検出する圧力センサと、を備える血圧測定装置の制御方法であって、
前記圧力制御手段により前記カフ部の各空気袋を加圧または減圧する過程において、前記圧力センサにより検出されるカフ内の圧力に重畳した脈波信号の時系列データを抽出する脈波信号抽出工程と、
脈波信号の特徴量の変化と当該変化時点でのカフ内の圧力とに基づき、収縮期血圧値及び／又は拡張期血圧値を導出する血圧値導出工程と、
を備え、
前記血圧値導出工程は、前記脈波信号の時系列データに含まれる複数の１周期脈波信号の各々について、ピーク点と該ピーク点に先行して現れるボトム点との期間での１周期脈波の最大勾配点を検出し、検出された最大勾配点と該最大勾配点に先行して現れるボトム点との間の変位を導出し、対応するカフ内の圧力が低い１周期脈波信号から順に前記複数の１周期脈波信号の各々に対する前記導出された変位を確認し、連続性のない大きな変化を示した時点に対応するカフ内の圧力を前記収縮期血圧値として導出する
ことを特徴とする血圧測定装置の制御方法。
【発明の詳細な説明】
【技術分野】
【０００１】
本発明は血圧測定技術に関するものであり、特に、より精度の高い血圧値の導出手法に関するものである。
【背景技術】
【０００２】
高血圧症の治療においての血圧測定は非常に重要である。ＷＨＯ／ＩＳＨの高血圧治療ガイドラインによれば、５ｍｍＨｇ単位の血圧値により高血圧症の程度が分類されそれぞれに適した治療方法が推奨されている。そのため、適切な治療ができるかできないかは測定した血圧値により左右されることになる。また、人口の高齢化が進む中、高血圧症が大きく関与する循環器疾患、メタポリックシンドロームへの予防を考慮した場合、血圧測定への精度、信頼性の要求は非常に大きい。
【０００３】
従来、血圧側定部位にカフを巻いて、カフ圧を収縮期血圧（収縮期血圧とも呼ばれる）より高い圧力より拡張期血圧（拡張期血圧とも呼ばれる）より低い圧力まで徐々に変化させて血圧を測定する非観血的血圧計の測定法として、聴診法と同様にコロトコフ音を検出して血圧を測定するマイクロフオン法とカフ内の空気袋の内圧に重畳している圧脈波の変化を検出して血圧を測定するオシロメトリック法とが利用されている。
【０００４】
オシロメトリック法では、例えば、カフ圧力を収縮期血圧値以上の圧力（例えば１８０ｍｍＨｇ）から拡張期血圧値以下（例えば６０ｍｍＨｇ）まで徐々に変化させたときに検出される圧脈波の振幅は、最初はほぼ一定値を示すが、カフ圧力が収縮期血圧値に近づくにつれて徐々に大きくなる。そして、カフ圧力が収縮期血圧以下になり、拡張期血圧に近づくと圧脈波の振幅は最大となり、今度は徐々に小さくなる変化を示す。さらに、カフ圧力が拡張期血圧以下になると圧脈波の振幅は徐々にある一定値に近づくように変化する。そこで、オシロメトリック方式では、圧脈波振幅のカフ圧力の変化にともなう時系列変化プロフィルを、検出した圧脈波の大きさの最大圧脈波振幅値を基準としたときの各圧脈波振幅の割合（％）で示すことにより正規化する。そして、同時に測定した聴診法（Ｋ法）による収縮期血圧値と拡張期血圧値に該当する圧脈波の割合を数多く取った実データの平均値からもとめている。この値は、収縮期血圧については５０％、拡張期血圧については６０〜８０％の値になる。
【０００５】
ただし、聴診法による血圧値と上述の圧脈波振幅の割合との関係は、血圧値、脈の強弱、血管内圧である観血血圧波形の形状の個体差による影響をうける。また、カフの巻き方によるカフの上流部および下流部のカフエッジ効果（カフの中央部より端部で血管を押さえる力が弱くなる現象）のバラツキ、カフの巻き方によるコンプライアンスの変化（脈波検出感度の変化）などの測定方法に関係する影響もうける。そして、カフ末梢部の拍出現象は、カフ装着部位より末梢側である前腕部、手部の血管弾性および血管容積の大小の個体差、血圧測定後の血液の末梢循環の良し悪しの個体差、血圧測定の繰り返し時間の短さの影響をうけるカフ末梢側血管のうっ血の程度による末梢血管内圧の上昇の影響をうける。
【０００６】
影響要因のほとんどが個体差に起因した問題であり直接的な対応が困難であり、カフの巻き方への対応は血圧測定のユーザビリティへの影響が大きいことから、収縮期血圧の測定における影響要因を低減する方法としては、カフ末梢側への拍出脈波の検出の感度を上げＳ／Ｎを向上する対応策がとられる。例えば、特許文献１には、阻血用空気袋の圧力が最も反映されているカフ中央部にカフの末梢側の拍出を選択的に検出するための脈波検出用空気袋を設置し、収縮期血圧測定のキーポイントとなるカフ末梢側への拍出脈波の検出能力を向上するダブルカフ法が提案されている。
【特許文献１】特開２００５−１８５２９５号公報
【発明の開示】
【発明が解決しようとする課題】
【０００７】
しかしながら、上述のダブルカフ法を用いた場合であっても、カフ末梢側の拍出による脈波信号の検出を阻害するカフ圧力が収縮期血圧よりも高いときにカフのエッジ効果や、カフの上流部に心臓の収縮および拡張に同期して侵入しては押し戻される血流変化により発生するカフ上流部脈波により十分なＳ／Ｎが確保できない場合がある。また、ダブルカフ法においても、脈波が小さい場合などの血圧値の導出には聴診法の拡張期血圧との相関よりもとめるオシロメトリック法に準じた方法を用いざるを得ない場合があり、個体差による影響を受ける場合がある。そのため、より正確な測定のためには血圧測定を複数回行うか、あるいは、医師による聴診法を用いた測定を行うなどの必要があった。
【０００８】
本発明は上述の問題点に鑑みなされたものであり、非測定者の個体差に影響されにくいより精度の高い血圧値の導出手法を提供することを目的とする。
【課題を解決するための手段】
【０００９】
上述の問題点を解決するために、本発明の血圧測定装置は以下の構成を備える。すなわち、血圧測定装置であって、血圧測定部位に接する側に敷設され血圧測定部位全体を圧迫する阻血用空気袋と、前記阻血用空気袋の血圧測定部位に接する側に敷設されて血圧測定部位の血管の心臓側を圧迫するサブ空気袋と、前記阻血用空気袋の血圧測定部位に接する側に敷設され血圧測定部位の血管の中央部やや下流側の脈波を検出する脈波検出用空気袋と、を含むカフ部と、前記カフ部の各空気袋を加圧または減圧する圧力制御手段と、前記カフ部の各空気袋内の圧力を検出する圧力センサと、前記圧力制御手段により前記カフ部の各空気袋を加圧または減圧する過程において、前記圧力センサにより検出されるカフ内の圧力に重畳した脈波信号の時系列データを抽出する脈波信号抽出手段と、脈波信号の特徴量の変化と当該変化時点でのカフ内の圧力とに基づき、収縮期血圧値及び／又は拡張期血圧値を導出する血圧値導出手段と、を備え、前記血圧値導出手段は、前記脈波信号の時系列データに含まれる複数の１周期脈波信号の各々について、ピーク点と該ピーク点に先行して現れるボトム点との期間での１周期脈波の最大勾配点を検出し、検出された最大勾配点と該最大勾配点に先行して現れるボトム点との間の時間差、又は、検出された最大勾配点と該最大勾配点に先行して現れるボトム点との間の時間差を１脈波周期で除して得られる位相差を導出し、対応するカフ内の圧力が低い１周期脈波信号から順に前記複数の１周期脈波信号の各々に対する前記導出された時間差又は位相差を確認し、連続性のない大きな変化を示した時点に対応するカフ内の圧力を前記収縮期血圧値として導出することを特徴とする。
【００１０】
または、血圧測定装置であって、血圧測定部位に接する側に敷設され血圧測定部位全体を圧迫する阻血用空気袋と、前記阻血用空気袋の血圧測定部位に接する側に敷設されて血圧測定部位の血管の心臓側を圧迫するサブ空気袋と、前記阻血用空気袋の血圧測定部位に接する側に敷設され血圧測定部位の血管の中央部やや下流側の脈波を検出する脈波検出用空気袋と、を含むカフ部と、前記カフ部の各空気袋を加圧または減圧する圧力制御手段と、前記カフ部の各空気袋内の圧力を検出する圧力センサと、前記圧力制御手段により前記カフ部の各空気袋を加圧または減圧する過程において、前記圧力センサにより検出されるカフ内の圧力に重畳した脈波信号の時系列データを抽出する脈波信号抽出手段と、脈波信号の特徴量の変化と当該変化時点でのカフ内の圧力とに基づき、収縮期血圧値及び／又は拡張期血圧値を導出する血圧値導出手段と、を備え、前記血圧値導出手段は、前記脈波信号の時系列データに含まれる複数の１周期脈波信号の各々について、ピーク点と該ピーク点に先行して現れるボトム点との期間での１周期脈波の最大勾配点を検出し、検出された最大勾配点と該最大勾配点に先行して現れるボトム点との間の変位を導出し、対応するカフ内の圧力が低い１周期脈波信号から順に前記複数の１周期脈波信号の各々に対する前記導出された変位を確認し、連続性のない大きな変化を示した時点に対応するカフ内の圧力を前記収縮期血圧値として導出することを特徴とする。
【発明の効果】
【００１３】
本発明によれば、非測定者の個体差に影響されにくい、より精度の高い血圧値の導出手法を提供することが出来る。
【発明を実施するための最良の形態】
【００１４】
（第１実施形態）
本発明の血圧測定装置を、好適な実施形態に基づいて図面を参照して説明する。なお、ここでは、トリプルカフ法を用いた血圧測定装置を例について説明する。また、以下では、カフ圧力の減圧過程におけるオシロメトリック法により得られる脈波信号について詳細に説明した後、本発明の血圧測定装置の詳細動作について説明する。
【００１５】
＜装置構成＞
図８は、第１実施形態に係る血圧測定装置を示すブロック図である。カフ本体２０１は、上腕部を含む血圧測定部位に対して着脱自在に設けられる布製のカフ部材２０２を備えており、このカフ部材２０２の測定部位接触側の端部に破線で図示した雄（フック型）面ファスナー２０３を設け、また、測定部位接触側と反対の面の阻血用空気袋と同じ位置と面積の雌（ループ型）面ファスナー２０４を設けている。このカフ部材２０２を図示のように上腕に巻き付け、各面ファスナーを係止することで、カフ本体２０１の着脱ができるように構成されている。ここで、面ファスナーは一例に過ぎず、これ以外の部材でもよく、また筒状に形成しておき上腕を挿入する方式にカフ本体を設ける構成であっても良い。
【００１６】
このカフ部材２０２の内部には、血圧測定部位の全体を圧迫するための破線図示の阻血用空気袋２０８が敷設されている。また、この阻血用空気袋２０８の血圧測定部位に接する側には血圧測定部位の心臓Ｈ側を圧迫するために幅がより狭く形成された破線図示のサブ空気袋２０７が敷設されている。サブ空気袋２０７と阻血用空気袋２０８との間にはサブ空気袋２０７の振動を減衰する第１緩衝部材２０９が設けられている。
【００１７】
また、この阻血用空気袋２０８の血圧測定部位の接する側に敷設されて血圧測定部位の血管下流側を圧迫し、かつ下流側の脈波を検出する破線図示の脈波検出用空気袋２０５が敷設されてカフ本体２０１を構成している。
【００１８】
このカフ本体２０１を加圧及び減圧するために、カフ本体２０１の阻血用空気袋２０８とは第２配管２１２と配管２１５により、また、カフ本体２０１の脈波検出用空気袋２０５とは第１配管２１１と流体抵抗器２１４を介して、また、カフ本体２０１のサブ空気袋２０７とは第３配管２１３と開閉弁２１６を介して、加減圧手段であるポンプ２２３が接続されている。また脈波検出用空気袋２０５の圧力変化からカフ圧信号を得るためのカフ圧力検出手段である圧力センサ２３１は脈波検出用空気袋２０５との間で第１配管２１１を介して接続されている。また、サブ空気袋２０７には第３配管２１３が接続されている。
【００１９】
第１配管２１１、第２配管２１２、第３配管２１３は軟質チューブからなり、コネクタ２１０を介して本体２３０から着脱自在に設けられている。
【００２０】
また、第３配管２１３には、好ましくは、さらに、圧力に比例して容積が大きくなるとともに圧力の平滑化を行うダンパー装置２１８（破線図示）が接続される場合がある。
【００２１】
十字分岐部２２０にはポンプ２２３と急速排気弁兼定速排気弁２２２が接続されている。急速排気弁兼定速排気弁２２２は制御部２４８に、開閉弁２１６は制御部２４６に夫々接続されており、中央制御部２３５の指令で、急速排気弁兼定速排気弁２２２は電磁弁の開口面積が制御され、また、開閉弁２１６は電磁開閉弁が開閉動作される。
【００２２】
また、ポンプ２２３はモータＭに接続されるポンプ駆動部２４９からの電力供給にともない駆動され、外気を開口部２２３ａからポンプ内に導入して加圧を行い十字分岐部２２０を介して加圧空気を配管２１５と、第３配管部２１３ａに送ることで各空気袋の加圧ができるように構成されている。
【００２３】
急速排気弁兼定速排気弁２２２は、毎秒２〜４ｍｍＨｇの減圧速度を実現するために電磁力の強さで開口面積を可変する構造であり、制御部２４８からのＰＷＭ駆動信号を得ることで任意の減圧速度を設定できるように構成されている。
【００２４】
流体抵抗器２１４を介して、脈波成分を減衰した阻血用空気袋２０８からの阻血圧力信号と脈波検出用空気袋２０５の圧力変化はカフ圧力検出手段である圧力センサ２３１に入力される。この圧力センサ２３１にはアナログ電気信号に変換する圧力計測部２３２が接続されており、さらに圧力計測部２３２にはＡ／Ｄコンバータ２３３が接続されており、デジタル信号を中央制御部２３５にカフ圧信号として出力するように構成されている。
【００２５】
この中央制御部２３５は、測定データ及び解析結果の読み書き等を行なうＲＡＭ２３８、また、カフ圧力信号から重畳している脈波信号を検出する脈波処理部２３９、カフ（阻血用空気袋，脈波検出用空気袋，サブ空気袋）の圧力を加圧，減圧するカフ圧制御部２４０、検出した脈波変化と阻血カフ圧力信号から血圧を決定する血圧測定部２４１、測定した血圧値を血圧表示手段２３７に表示させるための表示制御部２３７ａを中央制御部２３５により読取り可能な各種制御プログラムとし記憶したＲＯＭ２３６を含んでいる。なお、ＲＡＭ２３８は、中央制御部２３５において処理されるプログラムのワークエリアとしても機能する。
【００２６】
また、中央制御部２３５には、血圧値を表示する血圧表示手段である液晶表示部２３７と、上記の各駆動制御を行う各駆動部が接続されている。
【００２７】
また、乾電池を含む電源部２４３からの電力供給は、スイッチ２４２の操作により、中央制御部２３５にて各部に電力供給して血圧測定に必要な各動作を行えるように構成される。
【００２８】
以上のように構成される血圧測定装置ではＲＯＭ２３６に予め記憶された各種測定用制御プログラムを中央制御部２３５で読み出し、後述の血圧測定ルーチンのフローチャートのように動作させることができる。
【００２９】
＜カフの圧迫力と脈波信号＞
図１は、カフ圧力の減圧過程で、カフ圧力に脈波信号が重畳している様子を示すグラフである。このグラフには、カフ圧力の減少につれて、脈波信号の大きさや形が変化していく様子が示されている。また、図２は、カフ圧力の減圧過程での、カフ圧力に重畳する脈波振幅値の変化の様子をカフ圧力の変化と共に示した図である。カフ圧力の減圧過程で、脈波振幅値は徐々に大きくなり、最大振幅値が現れるポイントＭを経て後、脈波振幅値は徐々に減少する傾向をもつことが示されている。
【００３０】
図３は、第１実施形態に係る血圧測定装置のカフ（トリプルカフ）の長手方向（上腕の延びる方向）の断面図である。変形例に係るカフは、血管阻血用の大カフ１、脈波検出用の小カフ２、および上流部に設けられたサブカフ３を含むトリプルカフである。加圧された血管阻血用の大カフ１およびサブカフ３により血管１００はＱの部分で阻血され、上流側１００ａから下流側１００ｂへの血流が抑えられている様子が示されている。
【００３１】
大カフ１により腕を圧拍する力は、カフの幅方向の中央部（図３のＡの部分、以下、単に、カフ中央部Ａという）で最も強く、両端に近くなるに従い弱くなり、両端ではほぼ０となる。ただし、サブカフ３を備えないダブルカフの場合と比較すると、サブカフ３の効果により図３の”Ｂ”に示される区間における血流の侵入が阻止されている点が異なる。小カフ２は、このカフの幅方向のカフ中央部Ａに設けられることで、この部分での血管内圧力変化（血管内容積変化）を最もよく捉える。尚、明細書中において「カフ圧力」は、カフ内の圧力を意味するが、実質的には、カフの幅方向のカフ中央部Ａでの腕の圧迫力と等しいことから、カフの幅方向のカフ中央部Ａの下の血管へ加えられるカフからの圧力でもある。
【００３２】
＜脈波信号を構成する各成分の性質＞
脈波検出用の小カフ２により検出されるカフ圧力に重畳する脈波信号は、主に、カフの上流側からの血流の拍出による血管内容積変化に伴う直接のカフ内圧力変化に由来する成分Ｗ１（以下、Ｗ１成分という）と、カフの下流側の血管からの反射による血管内容積変化に伴うカフ内圧力変化に由来する成分Ｗ２（以下、Ｗ２成分という）とに分けられる。そして、Ｗ１成分は、カフの幅方向の中央部、すなわち、カフ中央部Ａの部分の下の圧力変化（血管内容積変化）に由来する成分Ｗ１−Ａ（以下、Ｗ１−Ａ成分という）とカフの幅方向の上流部、すなわち、図３のＢの部分（以下、単に、カフ上流部Ｂという）の下の圧力変化（血管内容積変化）に由来する成分Ｗ１−Ｂ（以下、Ｗ１−Ｂ成分という）とカフの幅方向の下流部、すなわち、図３のＣの部分（以下、単に、カフ下流部Ｃという）の下の血管内容積変化に由来する成分Ｗ１−Ｃ（以下、Ｗ１−Ｃ成分という）に分けて考えることができる。さらに、血管内圧力による血管の振動に由来する成分Ｗ０がわずかであるが含まれる。
【００３３】
図４は、トリプルカフ法において取得される脈波信号ＰＷに含まれる各成分を模式的に示す図である。具体的には、太線で示す脈波信号ＰＷには、Ｗ１成分およびＷ２成分が含まれ、さらに、Ｗ１成分はＷ１−Ａ成分とＷ１−Ｃ成分により構成される。なお、サブカフ３を備えないダブルカフの場合と比較すると、サブカフ３により大カフ１のカフエッジ効果を補償しているため、カフ上流部Ｂの下に流れ込む血流による血管内容積変化に由来するＷ１−Ｂ成分を大きく低減している。
【００３４】
なお、Ｗ１−Ｂ成分が抑圧される結果、血管内圧力による血管の振動成分であるＷ０成分が新たに観測されるようになる。ただし、Ｗ１−Ａ成分とＷ１−Ｃ成分による振幅変化に比較しＷ０成分はの振幅変化は十分小さい。
【００３５】
脈波信号ＰＷは、減圧過程において、カフ圧力が収縮期血圧値と拡張期血圧値との間にある場合の観測される代表的な例である。減圧過程でのカフ圧力が収縮期血圧値から拡張期血圧値までの間では、カフ中央部Ａに血流が流れ込み、カフよりも下流側の血管に血流を拍出する現象がみられる。そして、この場合、下流側の血管への血流の拍出に伴うカフ中央部Ａ下での血管内容積変化に由来するＷ１−Ａ成分とカフ下流部Ｃ下での血管内容積変化に由来するＷ１−Ｃ成分が重なりＷ１成分を形成し、更に、それに、下流側からの反射によるＷ２成分が、時間差をもって重なり、カフ圧力に重畳した脈波信号ＰＷが形成される。
【００３６】
ここで、脈波検出用の小カフ２は、カフ中央部Ａに取り付けられていることから、Ｗ０成分やＷ１−Ｃ成分に比べて、Ｗ１−Ａ成分を最も感知しやすい。従って、Ｗ１−Ａ成分の特徴は、Ｗ１−Ｃ成分の特徴に比べて、Ｗ１成分の形状に大きく反映する。
【００３７】
Ｗ１−Ｃ成分については、カフ下流部Ｃ下での血管内容積変化を示すが、下流部Ｃは中央部Ａの下流側に位置し、下流部Ｃのカフの圧迫力は中央部Ａのカフの圧迫力よりも小さいことから、下流部Ｃ下の血管の開閉は中央部Ａ下の血管の開閉にほぼ同期しており、Ｗ１−Ａ成分とＷ１−Ｃ成分の出現の時間差は実質的にない。
【００３８】
Ｗ２成分は、上流からの血流の拍出に対するカフの下流側の血管からの反射であるから、下流側の血管内圧力がカフ圧力より高くなるタイミングによってピークの出現はＷ１成分のピークの出現より遅れる（図４）。一般に、Ｗ２成分の形状の脈波信号の全体形状への反映は、Ｗ１成分（Ｗ１−Ａ成分とＷ１−Ｃ成分の合成）の形状の反映よりも小さい。また、減圧過程でのカフ圧力が拡張期血圧値の近傍では、カフ下流側の血管内圧力はカフによる阻血前の状態に充分に回復しているので、下流側の血管からの反射は実質的になくなる。従って、カフ圧力が拡張期血圧値の近傍で検出される脈波信号では、実質的に、Ｗ２成分は消滅している。
【００３９】
図５は、カフ中央部Ａの下の血管内容積変化に由来するＷ１−Ａ成分が、カフ圧力の減圧過程で生じて、変化していく様子を模式的に示す図である。
【００４０】
グラフ１では、横軸は、カフ圧力を一定の減圧速度で減圧していく場合の経過時間を表し、縦軸は、血管内外圧差（血管内圧力−カフ圧力）を表し、観血波形（血管内圧力変化）を三角形波形で簡略化した場合に基づいて、経過時間の各時点での観血波形（血管内圧力変化）に由来するカフ中央部Ａ下の血管内外圧差の変化（観血波形と同じ三角形波形）を表わしている。
【００４１】
また、グラフ１の上側に、縦軸を血管内容積として、血管内外圧差の変化に応じて生じる各時点の血管内容積の変化がグラフ２として表されている。血管内外圧差の縦軸の左側には、血管内外圧差の変化（グラフ１）を血管内容積の変化（グラフ２）に変換する血管内外圧差−血管内容積の関係が、横軸を血管内容積としたグラフ３として表されている。
【００４２】
グラフ３の血管内外圧差−血管内容積の関係については、血管内容積が血管内外圧差が０の近傍で急変（急増加もしくは急減少）する傾向に注目して、簡略化した関係を仮定している。すなわち、血管内外圧差の増減する過程での血管が完全に閉じた状態（血管内容積０）と完全に開いた状態（血管内容積Ｖｍａｘ）との間の変化を、血管内容積がＶ０とＶ１の点で２つの折れ部をもち、Ｖ０とＶ１の間の急勾配の部分とＶ０以下とＶ１以上の緩やかな勾配の部分の直線からなる折れ線で表わしている。
【００４３】
これは、血管内外圧差が０の位置では、血管は自重によりつぶれた状態（血管内容積Ｖ０）であるが、この位置から血管内外圧差が正の値に変化すると急に血管内容積が増大し、血管が十分に開いた状態（血管内容積Ｖ１）に達し、その後は、血管内外圧差の変化に対して、緩やかに増大する（最大の血管内容積Ｖｍａｘに向かう）傾向と、血管内外圧差が０の位置から負の値に変化すると、血管内容積は緩やかに減少していく（血管内容積０に向う）傾向を示している。尚、グラフ３では、血管内容積がＶ０とＶ１の間の急勾配の部分は直線で近似されているため血管内容積の変化の割合はこの間では同じとなっているが、実際には、血管内外圧差が０の位置（血管内容積Ｖ０の位置）での変化の割合が最大となっている。
【００４４】
このような血管内容積が血管内外圧差が０の近傍で急変（急増加）する傾向の程度は、被測定者の血管の伸展性の大きさに依存するものであるが、傾向自体は、一般化できるものと考えられる。
【００４５】
グラフ１では、カフ圧力の減圧過程（経過時間）の中で、ａはカフ圧力が収縮期血圧値に等しい時点、ｂはカフ圧力が収縮期血圧値と拡張期血圧値のほぼ中央に位置する時点、ｃはカフ圧力が拡張期血圧値に等しい時点での、カフ中央部Ａ下の血管内外圧差の変化（三角形波形）を示している。
【００４６】
経過時間の各時点での血管内外圧差の変化（三角形波形）ａ、ｂ、ｃの各頂点（ピーク点）は、観血波形（血管内圧力変化）での収縮期血圧値の部分（すなわち、心臓の拡張期初期）に由来するものであり、下向き頂点（ボトム点）は、観血波形（血管内圧力変化）での拡張期血圧値の部分（すなわち、心臓の収縮期初期）に由来するものである。
【００４７】
これらグラフ１のａ、ｂ、ｃの血管内外圧差の変化をグラフ３の血管内外圧差−血管内容積の関係を用いて、血管内容積の変化に変換したものが、グラフ２の（ａ）、（ｂ）、（ｃ）で示されている。（ａ）、（ｂ）、（ｃ）には、心臓の収縮期初期の位置（前後２箇所）を白丸で示している。これは、観血波形（血管内圧力変化）の下向き頂点（ボトム点）に対応している。そして、この心臓の収縮期初期の位置（前後２箇所）の間に示される成分（太線で表示）が、Ｗ１−Ａ成分である。すなわち、グラフ２には、Ｗ１−Ａ成分が、カフ圧力の減圧過程（経過時間）の各時点で変化していく様子が示される。
【００４８】
（ｂ）、（ｃ）のＷ１−Ａ成分（血管内容積変化）の中では、ピーク点に先行して血管内外圧差が０となる位置をドットで示している。（ａ）のＷ１−Ａ成分（血管内容積変化）では、ピーク点が、血管内外圧差が０の位置に対応しており、この位置をドットで示している。（ａ）、（ｂ）、（ｃ）のドットで示されている血管内外圧差が０の位置は、実際には、血管内容積が急増加（急上昇）する部分（波形の前半での最大勾配点）となる。
【００４９】
更に、（ａ）、（ｂ）、（ｃ）のＷ１−Ａ成分の中では、ピーク点に遅れて生じる血管内容積が最小となる位置もドットで示している。このＷ１−Ａ成分のピーク点に遅れて生じる血管内容積が最小となる位置は、実際の脈波信号の下向きピーク点（ボトム点）の位置にほぼ等しいことが知られている。従って、以下、Ｗ１−Ａ成分のピーク点に遅れて生じる血管内容積が最小となる位置を、Ｗ１−Ａ成分のボトム点と呼ぶ。
【００５０】
グラフ２では、Ｗ１−Ａ成分で血管内容積が急上昇する部分（波形の前半での最大勾配点）［ドットで示した血管内外圧差が０となる位置］が、Ｗ１−Ａ成分に先行する心臓収縮期初期の位置から遅れる時間（時間差）をｔ１で示し、また、Ｗ１−Ａ成分のボトム点が次の心臓収縮期初期の位置から進む時間（時間差）をｔ２で示し、脈波信号の一周期をＴで示している。ここで、脈波信号の周期Ｔは、測定の期間中、実質的に一定である。また、Ｗ１−Ａ成分のボトム点の血管内容積が急上昇する部分（波形の前半での最大勾配点）から下方の変位をＨで示している。
【００５１】
遅れの時間（時間差）ｔ１と進みの時間（時間差）ｔ２の和をｔする。（ｔ＝ｔ１＋ｔ２）連続して生じるＷ１−Ａ成分のｔ１とｔ２はほとんど同じであることを考えると、ｔは、注目するＷ１−Ａ成分の急上昇する部分（前半での最大勾配点）の先行するＷ１−Ａ成分のボトム点からの遅れの時間（時間差）、すなわち、最大勾配点の先行する（Ｗ１−Ａ成分の）ボトム点からの出現の時間差を示すと考えられる。
【００５２】
グラフ２の（ａ）、（ｂ）、（ｃ）に示されるように、時間差ｔ１と時間差ｔ２は、カフ圧力が収縮期血圧値から拡張期血圧値に近づくにつれて小さくなる。すなわち、最大勾配点の先行するボトム点からの出現の時間差ｔは、カフ圧力が収縮期血圧値から拡張期血圧値に近づくにつれて小さくなっている。脈波信号の周期Ｔは、測定の期間中、実質的に一定であることから、最大勾配点の先行するボトム点からの出現の位相差２π（ｔ／Ｔ）も、同様に、カフ圧力が収縮期血圧値から拡張期血圧値に近づくにつれて小さくなる。
【００５３】
そして、グラフ２の（ｃ）にみるように、カフ圧力が拡張期血圧値に等しくなる時点においては、この簡略化したグラフのもとでは、Ｗ１−Ａ成分の先行するボトム点と最大勾配点（急上昇点）と心臓収縮期初期が同時に生じ、ｔ１＝０，ｔ２＝０であり、ｔ＝０となっている。
【００５４】
更に、グラフ２の（ｂ）、（ｃ）からは、Ｗ１−Ａ成分のボトム点の最大勾配点（急上昇点）からの下方変位Ｈは、カフ圧力が拡張期血圧値に近づくと小さくなることも示されている。そして、（ｃ）にみるように、カフ圧力が拡張期血圧値に等しくなる時点においては、この簡略化したグラフのもとでは、Ｗ１−Ａ成分のボトム点の位置と最大勾配点の位置が一致して、Ｈ＝０（変位がなくなる）となっている。
【００５５】
これらのことから、実際のＷ１−Ａ成分については、以下の３つの特徴を見出すことができる。
【００５６】
・Ｗ１−Ａ成分の急峻な上昇部分（最大勾配点）のボトム点からの遅延（時間差ｔもしくは位相差２π（ｔ／Ｔ））は、カフ圧力が拡張期血圧値に近づくにつれて小さくなる。
【００５７】
・Ｗ１−Ａ成分の急峻な上昇部分（最大勾配点）からのボトム点の変位Ｈはカフ圧力が拡張期血圧値に近づくにつれて小さくなる。
【００５８】
・Ｗ１−Ａ成分の形状は、カフ圧力が収縮期血圧値の圧力より小さくなった時点で出現する。
【００５９】
＜脈波信号の特徴＞
以上、脈波信号ＰＷを成分に分けて、Ｗ１−Ａ成分についての簡略化した検討内容を示したが、実際には、脈波信号ＰＷは、Ｗ１−Ａ成分やＷ０成分などに分離されることなくそろぞれが重畳された１つの脈波信号として、脈波検出用の小カフ２で検出される。
【００６０】
しかし、既に述べたとおり、Ｗ０成分が立ち上がり部分に反映されるもののＷ１−Ａ成分は、カフ圧力に重畳される脈波信号のＷ１成分の形状を大きく反映している。更に、脈波信号のＷ２成分は、一般にＷ１成分より小さく、カフ圧力が拡張期血圧値の近傍では消滅している。
【００６１】
従って、検出される脈波信号の特徴については、以下の３つの特徴を見出すことができる。
【００６２】
・脈波信号の急峻な上昇部分（最大勾配点）のボトム点からの遅延（時間差ｔもしくは位相差２π（ｔ／Ｔ））は、カフ圧力が拡張期血圧値に近づくにつれて小さくなる。
【００６３】
・脈波信号の急峻な上昇部分（最大勾配点）からのボトム点の変位Ｈはカフ圧力が拡張期血圧値に近づくにつれて小さくなる。
【００６４】
・脈波信号の急峻な上昇部分は、カフ圧力が収縮期血圧値の圧力を下回った時点で大きく変化する。
【００６５】
図６（ａ）および図６（ｂ）は、それぞれ、カフ圧力が収縮期血圧値と拡張期血圧値の間の時点および拡張期血圧値の時点で検出されるカフ圧力に重畳されていた脈波信号を示す図である。
【００６６】
各脈波信号には、前半部分の急峻な上昇部分（最大勾配点）Ｕｍと、ピーク点Ｐｅとピーク点Ｐｅに先行もしくは遅れて生じる２つのボトム点Ｂ１、Ｂ２が示されている。更に、図には、最大勾配点Ｕｍのボトム点Ｂ１からの時間差ｔ、周期Ｔ、ボトム点Ｂ２の最大勾配点（急上昇点）Ｕｍからの下方の変位Ｈが示されている。尚、ボトム点Ｂ１は、先行して生じる脈波信号のピーク点に遅れて生じるボトム点Ｂ２でもあり、連続して生じる脈波信号はほとんど同じ形であることから、注目する脈波信号のボトム点Ｂ２の最大勾配点（急上昇点）Ｕｍからの変位は、ボトム点Ｂ１の最大勾配点（急上昇点）Ｕｍからの変位とほとんど同じである。
【００６７】
前述したように、拡張期血圧値の時点では、時間差ｔ（位相差２π（ｔ／Ｔ））と変位Ｈが、収縮期血圧値と拡張期血圧値の間の時点よりも、小さくなっている様子が見られる。
【００６８】
Ｗ１−Ａ成分は、カフ圧力に重畳される脈波信号のＷ１成分の形状をＷ０成分より大きく反映している。これは急峻な上昇部分（最大勾配点）Ｕｍの現れる位置がＷ１−Ａ成分が現れた時点でＷ０成分の成分が反映してできていた部分からＷ１−Ａ成分が現れる位置に変化するということになる。Ｗ１−Ａ成分は収縮期血圧値以下になって初めて出現するため、急峻な上昇部分（最大勾配点）Ｕｍは、収縮期血圧値より高い圧力がカフにかかっているときの形状から、収縮期血圧値以下の血圧値では、大きく変化する様子が見られる。
【００６９】
＜血圧値の決定＞
そこで、上述した脈波信号の特徴に基づき、以下のようにして血圧値を決定することが出来る。
【００７０】
・脈波信号のピーク点に先行して生じるボトム点と最大勾配点（急上昇点）の出現の時間差が所定の閾値より小さくなる時点のカフ圧力を拡張期血圧値とする（拡張期血圧値決定１）。
【００７１】
・脈波信号のピーク点に先行もしくは遅れて生じるボトム点の最大勾配点（急上昇点）からの変位（振幅値の差）が所定の閾値より小さくなる時点のカフ圧力を拡張期血圧値とする（拡張期血圧値決定２）。
【００７２】
・脈波信号のピーク点に先行して生じるボトム点と最大勾配点（急上昇点）の出現の時間差の値を、カフ圧力の低い脈波信号から順に確認し、値の連続性のない大きな変化を示した点のカフ圧力値を収縮期血圧値とする（収縮期血圧値決定１）。
【００７３】
・脈波信号のピーク点に先行もしくは遅れて生じるボトム点の最大勾配点（急上昇点）からの変位（振幅値の差）の値を、カフ圧力の低い脈波信号から順に確認し、値の連続性のない大きな変化を示した点のカフ圧力値を収縮期血圧値とする（収縮期血圧値決定２）。
【００７４】
上述したように、脈波信号のボトム点や最大勾配点（急上昇点）は、個々の脈波信号の中で検出されるものである。また、所定の閾値は、検出される脈波の信号処理過程でのノイズ等を考慮して設定される。なお、この信号処理過程でのノイズ等への個体差や減圧速度等の測定条件による影響は一般的に小さい。
【００７５】
そして、これらの血圧値の決定方法は、従来のオシロメトリック式血圧計のように、被測定者の個体差や測定条件（減圧速度等）の影響の大きいパラメータ（統計手法に基づいて設定される脈波振幅値の最大脈波振幅値に対する割合等）を用いるカフ圧力の減圧過程の脈波振幅値の変化プロフィルを扱う必要はない。そのため、個体差や測定条件（減圧速度等）によるバラツキの小さい測定が実現できる。
【００７６】
図７は、上述の血圧決定方法に基づく拡張期血圧値および収縮期血圧値の決定の例示的なフローチャートである。なお、以下のフローチャートにおいては、時間差ｔを脈波周期Ｔで除した位相差（ｔ／Ｔ）の変化を用いて血圧値を決定しているが、時間差ｔの変化を直接的に用い血圧値を決定しても良い。
【００７７】
カフ圧力Ｐは、収縮期血圧値の決定後も、所定の時間間隔毎（サンプリング時間毎）に検出して（ステップＳ１００）、カフ圧力に重畳している脈波信号を抽出する（ステップＳ１０１）。脈波信号からは、連続するボトム点Ｂ１，Ｂ２とその間のピーク点Ｐｅを検出して（ステップＳ１０２、ステップＳ１０３、ステップＳ１０４）、そのボトム点Ｂ１（ピーク点に先行して生じるボトム点）とピーク点Ｐｅの間、すなわち、脈波信号の前半部分で、最大勾配を有する点（最大勾配点）Ｕｍを検出する（ステップＳ１０５）。そして、ボトム点Ｂ１と最大勾配を有する点（最大勾配点）Ｕｍの出現の時間差ｔを算出する（ステップＳ１０６）。ボトム点Ｂ１とボトム点Ｂ２の出現の時間間隔Ｔを求めて（ステップＳ１０７）、位相差（ｔ／Ｔ）を算出する（ステップＳ１０８）。ここで、ボトム点Ｂ２は次の脈波信号のボトム点Ｂ１になることから、時間間隔Ｔは、脈波間隔でもあり、また、脈拍周期でもある。
【００７８】
この位相差（ｔ／Ｔ）が所定の閾値ｋより小さくなったとき、その時点でのカフ圧力Ｐを拡張期血圧値として決定する（ステップＳ１１０）。位相差（ｔ／Ｔ）が所定の閾値ｋ以上のときは、更に減圧されたカフ圧力に重畳される次の脈波信号について、同様の処理を順次行い、拡張期血圧値を決定するものである。
【００７９】
拡張期血圧値が決定された後、対応するカフ圧が低い方から脈波信号から順に、位相差の変化（差分）を順次チェックする（ステップＳ１１１、Ｓ１１２）。位相差の変化が大きく変化する点が見つかると、当該点に対応するカフ圧力Ｐを収縮期血圧値として決定する（ステップＳ１１３）。
【００８０】
ここでは、＜血圧値の決定＞に示した、（拡張期血圧値決定１）と（収縮期血圧値決定１）との組み合わせを例に挙げて説明を行った。しかし、拡張期血圧値と収縮期血圧値の決定方法の他の組み合わせに基づいて実行しても良い。つまり、（拡張期血圧値決定１）と（収縮期血圧値決定２）との組み合わせ、（拡張期血圧値決定２）と（収縮期血圧値決定１）との組み合わせ、（拡張期血圧値決定２）と（収縮期血圧値決定２）との組み合わせに基づいて実行しても良い。また、拡張期血圧値および収縮期血圧値の各々について複数の決定手法を組み合わせて（例えば４つの決定方法全て）使用することにより、より精度の高い血圧値の導出が可能となる。
【００８１】
＜装置の動作＞
図９は、カフ加圧ルーチンの動作フローチャートである。なお、ここでは血圧決定に上述の時間差を用いる例について説明する。
【００８２】
先ず、カフ本体２０１が上腕部に対して装着される。そして、不図示の測定開始スイッチ２４２が押圧されると、急速排気弁兼定速排気弁２２２の開口面積を全開にし、また、開閉弁２１６を開き、各空気袋の排気をおこなう、ステップＳ４０１において各空気袋内の残留空気の排気が終了すると、圧力センサ２３１のゼロセット（初期化）が行われる。
【００８３】
次にステップＳ４０２において、開閉弁２１６は開いた状態に維持される。一方、急速排気弁兼定速排気弁２２２は全閉される。以上でカフ（阻血用空気袋，脈波検出用空気袋，サブ空気袋）への加圧の準備が整い、ステップＳ４０３でポンプ２２３への通電が行われる。
【００８４】
続いて、ステップＳ４０４で規定圧力（阻血の障害にならず、カフエッジ効果を低減できるようにサブ空気袋２０７を膨らませるような圧力）になったか否かをチェックし、規定圧力になったらステップＳ４０５で開閉弁２１６を閉じる。
【００８５】
ステップＳ４０３では、阻血用空気袋４０８の圧力が予想される収縮期血圧より２０〜３０ｍｍＨｇ高い加圧設定値になるようにポンプ２２３の連続駆動が行われる。
【００８６】
ステップＳ４０６ではカフ圧力が加圧設定値になったか否かが判断され、加圧設定値になると、ステップＳ４０７に進み、ポンプ駆動を停止した後に血圧値の測定ルーチンに進む。
【００８７】
図１０は、血圧値の測定ルーチンを示すフローチャートである。ここでは、脈波の時間差（ｔ）または脈波の位相差（ｔ／Ｔ）の変化を用いて血圧値を決定する。
【００８８】
ステップＳ６２０に進むと急速排気弁兼定速排気弁２２２により定速排気が開始される。カフ圧制御部２４０によりカフ圧力検出部からの信号を用いて、減圧速度が２〜３ｍｍＨｇ/秒になるように急速排気弁兼定速排気弁２２２の開口面積を可変して定速減圧が開始される。
【００８９】
これに続いてステップＳ６２１で、カフ圧力検出部からカフ圧力を得る、また次のステップＳ６２２では、脈波信号を検出し、脈波の時間差（ｔ）または脈波の位相差（ｔ／Ｔ）の値を順に導出する。例えば、脈波信号のピーク点と該ピーク点に先行して生じるボトム点との間の最大勾配点（急上昇点）とボトム点との時間差または位相差を導出する。次に、ステップＳ６２３に進み脈波処理部２３９で導出された時間差または位相差は、カフ圧力と脈波振幅とを一組にしてＲＡＭ２３８に記憶される。
【００９０】
ステップＳ６２４ではステップＳ６２３で記憶された時間差または位相差が、予め指定された値より大きく変動したか否かを判定し、変動した時点でのカフ圧力値を収縮期血圧値として決定する。変動していない場合は、ステップＳ６２１に戻る。
【００９１】
ステップＳ６２６では、収縮期血圧値が決定された後、再び、脈波信号を検出し、脈波の時間差（ｔ）または脈波の位相差（ｔ／Ｔ）の値を順に導出する。次に、ステップＳ６２７に進み脈波処理部２３９で導出された時間差または位相差は、カフ圧力と脈波振幅とを一組にしてＲＡＭ２３８に記憶される。
【００９２】
ステップＳ６２８ではステップＳ６２６で記憶された位相差が、予め指定された閾値より下回ったか否かを判定し、下回った時点でのカフ圧力値を拡張期血圧値として決定する。下回っていない場合は、ステップＳ６２５に戻る。
【００９３】
ステップＳ６２９では、急速排気弁兼定速排気弁２２２の開口面積を全開にし、かつ、開閉弁２１６を開くことでカフを大気圧にする。
【００９４】
そして、ステップＳ６３０では、記憶した収縮期血圧値と拡張期血圧値を表示部で表示して一連の血圧測定動作を終了する。
【００９５】
図１１は、他の血圧値の測定ルーチンを示すフローチャートである。ここでは、振幅変位の変化を用いて血圧値を決定する。
【００９６】
ステップＳ７２０に進むと急速排気弁兼定速排気弁２２２により定速排気が開始される。カフ圧制御部２４０によりカフ圧力検出部からの信号を用いて、減圧速度が２〜３ｍｍＨｇ/秒になるように急速排気弁兼定速排気弁２２２の開口面積を可変して定速減圧が開始される。
【００９７】
これに続いてステップＳ７２１で、カフ圧力検出部からカフ圧力を得る、また次のステップＳ７２２では、脈波信号を検出し、脈波の振幅値の差である変位（Ｈ）の値を順に導出する。例えば、脈波信号のピーク点と該ピーク点に先行して生じるボトム点との間の最大勾配点（急上昇点）における振幅値のボトム点における振幅値からの変位を導出する。次に、ステップＳ７２３に進み脈波処理部２３９で導出された変位は、カフ圧力と脈波振幅とを一組にしてＲＡＭ２３８に記憶される。
【００９８】
ステップＳ７２４ではステップＳ７２３で記憶された変位が、予め指定された閾値より大きく変動したか否かを判定し、変動した時点でのカフ圧力値を収縮期血圧値として決定する。変動していない場合は、ステップＳ７２１に戻る。
【００９９】
ステップＳ７２６では、収縮期血圧値が決定された後、再び、脈波信号を検出し、、脈波の振幅値の差である変位（Ｈ）の値を順に導出する。次に、ステップＳ７２７に進み脈波処理部２３９で導出された変位は、カフ圧力と脈波振幅とを一組にしてＲＡＭ２３８に記憶される。
【０１００】
ステップＳ７２８ではステップＳ７２６で記憶された変位が、予め指定された閾値を下回り変化が無くなったか否かを判定し、下回った時点でのカフ圧力値を拡張期血圧値として決定する。下回っていない場合は、ステップＳ７２５に戻る。
【０１０１】
ステップＳ７２９では、急速排気弁兼定速排気弁２２２の開口面積を全開にし、かつ、開閉弁２１６を開くことでカフを大気圧にする。
【０１０２】
そして、ステップＳ７３０では、記憶した収縮期血圧値と拡張期血圧値を表示部で表示して一連の血圧測定動作を終了する。
【０１０３】
以上説明したように、第１実施形態に係る血圧測定装置によれば、統計的手法ではなく脈波信号（１周期脈波信号）の形状の変化に基づき血圧値（収縮期血圧値および拡張期血圧値）を決定する。その結果、個体差に適応した測定が行え、より精度の高い血圧値（収縮期血圧値および拡張期血圧値）を導出可能となる。
【図面の簡単な説明】
【０１０４】
【図１】カフ圧力の減圧過程で、カフ圧力に脈波信号が重畳している様子を示す図である。
【図２】カフ圧力の減圧過程での、カフ圧力に重畳する脈波振幅値の変化の様子をカフ圧力の変化と共に示した図である。
【図３】第１実施形態に係る血圧測定装置のカフの長手方向の断面図である。
【図４】脈波信号ＰＷに含まれる各成分を模式的に示す図である。
【図５】カフ中央部Ａの下の血管内容積変化に由来するＷ１−Ａ成分が、カフ圧力の減圧過程で生じて、変化していく様子を模式的に示す図である。
【図６】カフ圧力が収縮期血圧値と拡張期血圧値の間の時点および拡張期血圧値の時点で検出されるカフ圧力に重畳されていた脈波信号を示す図である。
【図７】血圧値決定の例示的なフローチャートである。
【図８】第１実施形態に係る血圧測定装置の構成を示す図である。
【図９】第１実施形態に係る血圧測定装置のカフ加圧ルーチンの動作フローチャートである。
【図１０】血圧値の測定ルーチンの詳細フローチャートである。
【図１１】他の血圧値の測定ルーチンの詳細フローチャートである。
【図１】
0005143529.tif 000002
【図２】
0005143529.tif 000003
【図３】
0005143529.tif 000004
【図４】
0005143529.tif 000005
【図５】
0005143529.tif 000006
【図６】
0005143529.tif 000007
【図７】
0005143529.tif 000008
【図８】
0005143529.tif 000009
【図９】
0005143529.tif 000010
【図１０】
0005143529.tif 000011
【図１１】
0005143529.tif 000012